(57)【要約】【課題】  比較的小型の球払出装置でも適正な払出作動が可能で長期間安定して作動させ得る払出制御機構を提供する。【解決手段】  遊技球を貯留する球貯留タンクと球払出装置との間を結んで遊技球を供給する案内通路における球払出装置５３の上方の待機通路５２に、この待機通路５２を流下する遊技球の圧力により回転可能に設けられた球受け回転体１２０と、球受け回転体の回転を規制せずに遊技球の圧力による球受け回転体の回転を許容する解放状態、および球受け回転体の回転を規制して案内通路の上流側に貯留された遊技球から作用する圧力を受け止める受圧状態に変移可能に設けられた回転制御機構１３０とを備え、制御装置が、球払出モータの回転起動に先立って回転制御機構１３０を作動させ受圧状態にするように球払出制御機構を構成する。【選択図】  図３
2005160887.tif 000002
【特許請求の範囲】
【請求項１】
遊技盤の背面を覆って取り付けられた裏セット盤に、遊技球を貯留する球貯留タンクと、前記球貯留タンクよりも下方に位置して設けられ前記遊技盤における入賞条件に応じた所定数量の遊技球を払い出す球払出装置と、前記球貯留タンクと前記球払出装置との間を結んで設けられ前記球貯留タンクに貯留された遊技球を整列させて前記球払出装置に導く案内通路と、前記球払出装置から払い出された遊技球を球皿に導く球払出通路と、前記球払出装置の作動を制御する制御装置とを備え、
前記球払出装置が、前記制御装置により回動が制御される球払出モータと、前記球払出モータに駆動される球送り回転体とを有し、前記案内通路に整列待機された遊技球を前記球送り回転体の回動により前記球払出通路側に移動させて遊技球を払い出すモータ駆動型の球払出装置であり、
前記案内通路が、前記球貯留タンクから供給される遊技球を流下させる過程で整列させる整列通路と、前記整列通路で整列された遊技球を受けて下方の前記球払出装置に導く待機通路とを有してなる弾球遊技機において、
前記待機通路に当該待機通路を流下する遊技球の圧力により回転可能に設けられた球受け回転体と、
前記球受け回転体の回転を規制せずに遊技球の圧力による前記球受け回転体の回転を許容する解放状態、および前記球受け回転体の回転を規制して上流側に貯留された遊技球から作用する圧力を受け止める受圧状態に変移可能に設けられた回転制御手段とを備え、
前記制御装置が、前記球払出モータの回転起動に先立って前記回転制御手段を作動させ、前記受圧状態にさせるように構成したことを特徴とする弾球遊技機の球払出制御機構。
【発明の詳細な説明】
【技術分野】
【０００１】
本発明は、遊技球を貯留する球貯留タンクと、球貯留タンクから導かれた遊技球を遊技盤における入賞条件に応じて払い出すモータ駆動型の球払出装置とを備えた弾球遊技機に関し、さらに詳細には、球払出装置よりも上流側に貯留された遊技球から圧力を受けつつ作動する球払出装置の払出制御機構に関する。
【背景技術】
【０００２】
従来から、パチンコ機等のように遊技球を遊技媒体として利用する弾球遊技機には、遊技盤の背後に裏セット盤と称される機構セット盤が開閉可能に設けられ、この裏セット盤に、遊技盤における入賞状態に応じて遊技球を払い出す球払出装置が用いられている。球払出装置の上方には多数の遊技球を貯留する球貯留タンクと球貯留タンクに貯留された遊技球を整列させて球払出装置に導く案内通路が設けられ、球払出装置の下方には球払出装置から払い出された遊技球を遊技機前面の球皿に導く球払出通路が形成されるとともに、球払出装置の作動を制御する制御装置が設けられて球払出制御機構が構成されている。
【０００３】
近年の球払出装置では、一回の入賞時に払い出す遊技球の個数（払出賞球数という）を任意に設定することができ、また入賞した入賞具の種別やタイミング等の入賞条件に応じて複数種類の払出賞球数を設定でき、さらに、いわゆるＣＲ機における球貸し時の払い出しにも対応できるように、モータ駆動型の球払出装置が一般的に用いられている。モータ駆動型の球払出装置は、制御装置により回動が制御される球払出モータと、球払出モータに駆動される球送り回転体とを有し、案内通路に整列待機された遊技球を球送り回転体の回動により球払出通路側に移動させて遊技球を払い出すように構成されている（例えば、特許文献１を参照）。
【特許文献１】特開２００３−１６４６２６号公報（第２４〜２５頁、第２８図）
【０００４】
ここで、球払出装置の概要構成および払い出しの作用を図１５に示すように、近年の球払出制御機構球では払出装置５３の上方に遊技球を整列させて導く案内通路が前後２列形成され、球払出装置の球送り回転体５３ｒは前後の案内通路に対応して前後２段のインペラ構成になっている。前列側のインペラ５３ｒ１および後列側のインペラ５３ｒ２には、それぞれ遊技球を受容する受容部が１２０度ピッチで３箇所設けられるとともに、前後のインペラは受容部の角度位置が６０度オフセットして形成されており、図１５の(ａ)図および(ｂ)図に、ある停止タイミングにおける前・後列のインペラの角度位置関係および案内通路に整列待機された遊技球の状態をそれぞれ示すように、前後のインペラが交互に受容部に遊技球を受け入れ、受容した遊技球を球送り回転体５３ｒの回動により１個ずつ案内通路側から球払出通路側に移動させて払い出す構成になっている。このため、球払出モータ５３ｍの回動角度を制御して球送り回転体５３ｒの回動角度を６０度のｎ倍（ｎ＝１，２，３…）に設定することにより、インペラが単段の場合の約半分の回転角度で、奇数、偶数を問わず任意数量の遊技球を払い出せるようになっている。また球払出モータの回動方向を時計廻り・反時計廻りに切り替えることで、例えば賞球の払出と球貸しとをモータの回動方向で分けたり、これにより払い出される球通路を異なる通路に切り分けたりすることも可能になっている。
【発明の開示】
【発明が解決しようとする課題】
【０００５】
ところで、払出制御機構では、球貯留タンクに貯留された遊技球が遊技球自身の自重によって球払出装置まで滞ることなく流下するように、球貯留タンクが上方に、球払出装置が下方に配設され、案内通路はこれらの間を繋いで大きな落差をもって形成されている。このため、遊技球と接する球払出装置の各部には、上流側に貯留された多数の遊技球の自重に基づく圧力が作用しており、球送り回転体や球送り回転体を支持する軸受部、球送り回転体を回動させる球払出モータ等には、作用する圧力の大きさに応じた強度や回転トルクを具備することが求められる。特に、貯留球が密に繋がった停止状態から球送り回転体を回動させる回転起動時には大きな起動トルクが必要であり、これを満たす高トルクモータが必要になるとともに、球送り回転体および軸受部にも回転起動時に作用する反力に抗して損傷や軸ぶれを生じさせない強度が必要とされる。
【０００６】
このため、球払出モータそのものが大型化し高額化するという問題に加えて、球送り回転体や球送り回転体を支持する軸受部、球払出モータを支持する支持部等についても同様に大型化や使用材質の高度化を招き、球払出装置全体が大型化および高額化するという問題があった。また、上記のような比較的大型の球払出装置を用いても、遊技球から強い圧力を受ける球送り回転体の各部や軸受部が長期の使用に伴って摩耗しやすく、長期間安定して作動させ得る払出制御機構が求められていた。
【０００７】
本発明は上記のような事情に鑑みて成されたものであり、比較的小型のモータを用いた球払出装置でも適正な払出作動が可能で装置の小型化および低廉化に資するとともに、長期間安定して作動させ得る払出制御機構を提供することを目的とする。
【課題を解決するための手段】
【０００８】
上記目的達成のため、本発明は、遊技盤の背面を覆って取り付けられた裏セット盤に、遊技球を貯留する球貯留タンクと、球貯留タンクよりも下方に位置して設けられ遊技盤における入賞条件に応じた所定数量の遊技球を払い出す球払出装置と、球貯留タンクと球払出装置との間を結んで設けられ球貯留タンクに貯留された遊技球を整列させて球払出装置に導く案内通路と、球払出装置から払い出された遊技球を球皿に導く球払出通路と、球払出装置の作動を制御する制御装置とを備え、球払出装置が、制御装置により回動が制御される球払出モータと、球払出モータに駆動される球送り回転体とを有し、案内通路に整列待機された遊技球を球送り回転体の回動により球払出通路側に移動させて遊技球を払い出すモータ駆動型の球払出装置であり、案内通路が、球貯留タンクから供給される遊技球を流下させる過程で整列させる整列通路と、この整列通路で整列された遊技球を受けて下方の球払出装置に導く待機通路とを有してなる弾球遊技機の球払出制御機構に関するものである。そのうえで本発明では、待機通路にこの待機案内通路を流下する遊技球の圧力により回転可能に設けられた球受け回転体と、球受け回転体の回転を規制せずに遊技球の圧力による球受け回転体の回転を許容する解放状態、および球受け回転体の回転を規制して上流側に貯留された遊技球から作用する圧力を受け止める受圧状態に変移可能に設けられた回転制御手段とを備え、制御装置が、球払出モータの回転起動に先立って回転制御手段を作動させて受圧状態にさせるように球払出制御機構を構成する。
【０００９】
この球払出制御機構では、球貯留タンクと球払出装置との間を結ぶ案内通路のうち、整列通路で整列された遊技球を受けて下方の球払出装置に導く待機通路に、この待機案内通路を流下する遊技球の圧力により回転可能に球受け回転体を設けるとともに、この球受け回転体の回転を規制せずに遊技球の圧力による球受け回転体の回転を許容する解放状態と、球受け回転体の回転を規制して上流側に貯留された遊技球から作用する圧力を受け止める受圧状態とに変移可能な回転制御手段を設けている。そして、球払出制御機構では、制御装置が球払出モータの回転起動に先立って回転制御手段を作動させ、球受け回転体を受圧状態に変移させて下流側の遊技球に作用する圧力を軽減させるように構成される。
【発明の効果】
【００１０】
上記構成によれば、球受け回転体が、球貯留タンクと球払出装置との間を結ぶ案内通路のうち、整列通路で整列された遊技球を下方の球払出装置に導く待機通路、すなわち案内通路全体における下流側に設けられ、球払出モータの回転起動時には、球受け回転体が受圧状態にされて上流側に貯留された遊技球から作用する圧力が受け止められ、下流側の遊技球に作用する圧力が軽減された状態で球払出モータが起動される。このため、球払出モータの回転起動時に遊技球から作用する圧力は、待機通路内における球受け回転体と球払出装置の球送り回転体との間に停留された遊技球の球数に応じた重量相当に軽減することができる。従って、最も大きな回転トルクが必要とされる回転起動時の起動トルクを大幅に減少させることができ、これにより、従来よりも小型のモータを用いることができるとともに、球送り回転体や軸受部等についても同様に小型化し、あるいは一般材料を用いて構成することができる。従って、比較的小型のモータを用いた球払出装置でも適正な払出作動を確保することができ装置の小型化および低廉化を実現できるとともに、負荷を軽減することで長期間安定して作動させ得る払出制御機構を提供することができる。
【００１１】
また、待機通路にこの通路を流下する遊技球の圧力により回転する球受け回転体を設け、球受け回転体の回転動を解放または規制する構成により、解放状態において遊技球の引っかかりや噛み込み等による球詰まりが発生しにくく、かつ待機通路を流下する遊技球の整流効果をも併せ持った球払出制御機構を提供することができる。
【発明を実施するための最良の形態】
【００１２】
以下、本発明を実施するための形態について添付図面を参照しながら説明する。本発明に係る払出制御機構を適用した弾球遊技機の一例として、図１および図２にパチンコ機の正面図および背面図を示しており、まず、これら両図を参照してパチンコ機ＰＭの全体構成について要約説明する。
【００１３】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３により前方に横開き開閉および着脱が可能に取り付けられ、正面右側に設けられた施錠装置４を利用して常には外枠１と係合連結された閉止状態に保持される。
【００１４】
前枠２の表側（前面側）上部には、ガラス扉５が前方に横開き開閉および着脱可能に取り付けられ、正面右側に設けられた施錠装置４を利用して常には前枠２の前面を覆う閉止状態に保持される。ガラス扉５の背後に位置する前枠上部には、遊技盤２０を着脱可能に収容する収容枠が設けられており、この収容枠に立設姿勢で係止保持された遊技盤２０がガラス扉５を通して視認されるようになっている。
【００１５】
遊技盤２０は、所定板厚の積層合板の表面にセルを貼り付けてルーター加工した化粧板２１を基板とし、前面側に内外の案内レール２２が円弧状に固設されて略円形の遊技領域ＰＡが区画形成される。遊技領域ＰＡには、多数本の遊技釘とともに風車や各種の入賞具２３，２４，２５、遊技の展開状況に応じた図柄を表示させる図柄表示装置２７、左右のサイドランプなどの遊技構成部品が取り付けられ、遊技領域ＰＡの下端部にアウト口２８が形成されている。化粧板２１の裏面側には中央部に図柄表示装置２７の作動を制御する図柄表示制御装置８７が取り付けられ、その周囲には各入賞具に落入して化粧板２１の裏面側に導かれたセーフ球、およびアウト口２８を通って化粧板２１の裏面側に導かれたアウト球（これらをまとめて「遊技済み球」という）を、化粧板２１の背面に沿って裏セット盤３０の遊技済み球排出通路に導く球寄せカバー２９が取り付けられている。
【００１６】
前枠２の表側中間部には、遊技補助盤と称される補助機構部が設けられるとともに、その前方に上球皿６が前方に横開き開閉および着脱可能に取り付けられ、正面右側に設けられた球皿施錠装置を利用して常には遊技補助盤の前面を覆う閉止状態に保持される。上球皿６の下側には、下球皿７が前方に突出して取り付けられその右側に遊技球の発射操作を行う発射ハンドル８が取り付けられている。前枠２の裏面下部には遊技球発射装置９が取り付けられており、遊技補助盤には遊技球発射装置９のハンマーに叩打された遊技球をガイドして外レールに向けて発射させる発射レール、遊技の展開状況に応じた効果音を発生させるスピーカなどが設けられている。
【００１７】
一方、前枠２の裏側（後面側）には、裏セット盤３０が前枠２の後方に横開き開閉および着脱可能に取り付けられ、常には遊技盤２０の裏面を覆う閉止状態に保持されている。裏セット盤３０は、中央部に遊技盤の図柄表示制御装置８７を受容する窓口３２を有して外枠１の内寸サイズよりも幾分小さめの方形枠状に形成された基枠体３１をベースとして構成される。
【００１８】
基枠体３１は、表裏に遊技済み球排出通路や球払出制御機構の球通路、球抜き通路等が立体的に形成された前後二層構造になっており、基枠体３１を前後に仕切る支持面の前面側に主として遊技盤２０の裏面側に排出された遊技済み球を集合させて遊技島の回収装置に導く遊技済み回収通路および球抜き通路が、支持面の後面側に主として遊技球を払い出す球払出制御機構が形成されている。
【００１９】
また基枠体３１の背面各部には、パチンコ機ＰＭの作動を統括的に制御する主制御装置８１や、遊技球の払い出し作動を制御する球払出制御装置８２、効果照明や効果音の作動制御を行うランプ・音声制御装置８３、各制御装置や電子部品に電力を供給する電源ユニット８４、遊技施設側と信号や電力の入出力を行うターミナル基板８５等の各種制御装置や回路基板、球払出装置５３等の電子部品が取り付けられ、これらが図示しないコネクタケーブルで接続されてパチンコ機ＰＭが作動可能に構成される。
【００２０】
パチンコ機ＰＭは、上球皿６およびガラス扉５が閉止施錠された状態で遊技に供され、上球皿６に遊技球を貯留させて発射ハンドル８を回動操作することにより遊技が開始される。発射ハンドル８が回動操作されると、上球皿６に貯留された遊技球が上球皿の背面に装着された球送り装置によって１球ずつ発射レールに送り出され、遊技球発射装置９のハンマーに打ち出されて遊技領域ＰＡに発射され、以降パチンコゲームが展開される。
【００２１】
さて、このように概要構成されるパチンコ機ＰＭにあって、遊技領域ＰＡに発射された遊技球が各入賞具に落入したときの遊技球の払い出し処理について、関連する各部の構成をもう少し詳しく説明する。遊技盤に設けられる入賞具には、その外観意匠や入賞時の動作を含めて種々の形態のものがあり、ゲージ設定に応じてどのような形態の入賞具を用いるものであってもよいが、例えば図１に例示した遊技盤２０では、一般入賞具２３、始動入賞具２４、アタッカー装置２５の３種類の入賞具を設けた例を示している。
【００２２】
一般入賞具２３は、遊技球が落入可能な入賞口を有する固定入賞具であり、入賞口の内部に遊技球を検出する入賞検出センサ２３ｓが取り付けられている。一般入賞具２３の後部には落入したセーフ球を化粧板２１の裏面側に導くセーフ球誘導路が設けられており、一般入賞具２３に落入したセーフ球は入賞検出センサ２３ｓに検出され、セーフ球誘導路および球寄せカバー２９を通って基枠体３１前面側の遊技済み球排出通路に受け止められ、この球排出通路を流下して遊技島の回収装置に排出される。
【００２３】
始動入賞具２４は、いわゆる電動チューリップ型の可動入賞具であり、左右のチューリップ羽根を開閉させて入賞口を拡大・縮小変化させることができる。始動入賞具２４の後部には入賞したセーフ球を化粧板２１の裏面側に導くセーフ球誘導路が設けられるとともに、この誘導路を流下する遊技球を検出する入賞検出センサ２４ｓが取り付けられており、始動入賞具２４に入賞したセーフ球が入賞球検出センサ２４ｓに検出され、セーフ球誘導路、球寄せカバー２９、遊技済み球排出通路を流下して遊技島の回収装置に排出される。
【００２４】
アタッカー装置２５は、いわゆるアタッカー型の可動入賞具であり、横長方形状の大入賞口を覆う開閉扉が開閉可能に取り付けられている。開閉扉は通常閉止されており、遊技中における所定の入賞条件の下で特別遊技状態が成立したときに、開閉扉の上部が前方にほぼ９０度倒されて大入賞口が開放される。大入賞口の内部には左右二つの領域開口が設けられて各々に入賞検出センサ２５ｓ，２５ｔが設けられるとともに、アタッカー装置２５の後側に上記二つの領域開口に繋がって化粧板２１を貫通する二つのセーフ球誘導路が設けられており、大入賞口に落入したセーフ球はいずれかの領域開口を通って入賞検出センサ２５ｓ，２５ｔに検出され、セーフ球誘導路、球寄せカバー２９、遊技済み球排出通路を流下して遊技島の回収装置に排出される。
【００２５】
入賞検出センサ２３ｓ，２４ｓ，２５ｓ，２５ｔの検出信号は主制御装置８１に出力されており、主制御装置８１は入力された検出信号に基づいてパチンコ機ＰＭの作動を制御する。例えば、始動入賞口２４に遊技球が落入し入賞検出センサ２４ｓから入賞検出信号が出力されると、主制御装置８１は入力信号から、遊技球が入賞具に落入したこと、および入賞した入賞具が始動入賞口２４であることを検知し、この入賞条件に応じた遊技プログラムを呼び出して実行する。具体的には、主制御装置内で図柄の組み合わせ抽選を行うとともに、図柄表示制御装置８７に抽選結果を出力して図柄表示装置２７に表示される図柄を変動および停止制御させ、停止図柄の組み合わせに応じた作動、例えばランプ・音声制御装置８３を介してサイドランプの点滅表示やスピーカによる効果音の発生等を行わせる。また球払出制御装置８２に入賞条件に応じた払出指令信号を出力して球払出装置５３を作動させ遊技球の払い出し作動を行わせる。
【００２６】
一方、常には遊技盤２０の背後に位置して閉止保持される裏セット盤３０に、遊技球の払い出し作動を行う球払出制御機構が設けられている。球払出制御機構を含む裏セット盤の右枠杆（基枠体３１における窓口右側の枠杆部）３３部分の背面図を図３に示す。なお、遊技球の払い出しに関する主要機構部は、前後二層構造を有する基枠体３１の裏面側に設けられており、背面図を主として参照しながら説明するため、以降では図２および図３に示す背面図における左右方向を左方または右方と称し、紙面直交方向の向こう側（パチンコ機前面側）を前方、手前側（同裏面側）を後方と称して説明する。また遊技球を球払出装置５３に導く案内通路等の基本構成および作動は、背景技術の項で参照した図１５に示す構成および作動と略同様であるため、これらの図面を併せて参照しながら説明する。
【００２７】
球払出制御機構は、基枠体３１の左上部に取り付けられて遊技球を貯留する球貯留タンク４１、基枠体３１における右枠杆３３の下部に取り付けられて遊技球の払出を行う球払出装置５３、球貯留タンク４１と球払出装置５３との間を結んで設けられ球貯留タンク４１に貯留された遊技球を整列させて球払出装置５３に導く案内通路、球払出装置５３の下方に設けられて球払出装置から払い出された遊技球を上下の球皿６，７に導く球払出通路６０、基枠体３１の背面下部に取り付けられて球払出装置５３の作動を制御する球払出制御装置８２、および案内通路に設けられて払出作動の起動時に球払出装置５３に作用する遊技球の圧力を軽減させる受圧制御ユニット１００などから構成される。
【００２８】
球貯留タンク４１は、上面開放の箱状体をなし、タンク内部に500〜800個程度の遊技球を貯留可能になっている。球貯留タンク４１の底面は緩く左傾および前傾して形成され左前方には上下連通する開口部が形成されて下方の案内通路に繋がっている。案内通路は、球貯留タンク４１から供給された遊技球を流下させる過程で整列させる整列通路、整列通路で整列された遊技球を受けて下方の球払出装置５３に導く待機通路とからなり、整列通路は球貯留タンクの直下に取り付けられたタンクレール４２内に、待機通路は右枠杆３３に取り付けられたＳ字レール５２の前後に形成される。
【００２９】
タンクレール４２は、窓口３２上方の基枠体３１にねじ止めされた取付姿勢において前後の壁面に囲まれた樋状体をなし、底面には右方に向けて高さが高くなるリブ状の仕切壁が立設されて樋内に前後二列の整列通路４２ａ，４２ｂが形成される。タンクレール４２は左上方の球貯留タンク４１側から右下方の待機通路側に向けて約４度の傾斜角で取り付けられるとともに、通路中間部には上下方向に積み重なった遊技球を平らに均す球均し具４４が垂設されており、球貯留タンク４１から供給された遊技球が傾斜下流に向けて流下する過程で整列され、右枠杆３３の上部では前後二列の整列通路４２ａ，４２ｂに整列された状態て待機通路側に流下される。タンクレール４２の傾斜端部すなわち整列通路４２ａ，４２ｂの終端部は下方に滑らかに折り曲げられ、下端に開口する偏向出口で待機通路と繋がっている。
【００３０】
右枠杆３３には、偏向出口から送り出された遊技球を受けて待機通路５２ａ，５２ｂに整列状態で待機させるＳ字レール５２と、このＳ字レール５２の下側に取り付けられて待機通路に待機された遊技球を所定の払出条件に基づいて払い出す球払出装置５３、および右枠杆３３に支持されたＳ字レール５２の後方を覆って取り付けられＳ字レール５２の前後面に上記二列の待機通路を形成させる蓋部材５８などが取り付けられる。また、偏向出口とＳ字レール５２との間には、遊技球の払い出しを行い得る充分な遊技球が待機通路５２ａ，５２ｂに保持されているか否かを検出するための球有検出センサ５１が着脱可能に取り付けられ、球払出装置５３の払出口と球払出通路６０との間には、払い出された遊技球を検出してその実数を計数するための球計数センサ５４，５４が係脱可能に設けられている。
【００３１】
Ｓ字レール５２は、中間に形成された仕切壁５２ｗと、この仕切壁を挟む前後面に遊技球の球径よりも幾分大きめの間隔をおいて左右平行に立設された通路壁５２Ｌ，５２Ｒとを有し、仕切壁５２ｗの前後に通路壁５２Ｌ，５２Ｒで囲まれた凹状の通路溝が形成されている。前後の通路溝は図３に示すように屈曲して形成されており、上流側に位置する遊技球の自重による球圧が下流側で加重されて過大な圧力にならないようになっている。Ｓ字レール５２は通路溝の清掃容易化等のため基枠体３１と別体に構成されており、右枠杆３３に立設された支持ボスに嵌挿して支持させ、後方から蓋部材５８をねじ固定することにより右枠杆３３に固定される。
【００３２】
Ｓ字レール５２が右枠杆３３に固定されると、前後の通路溝の開放部が前方の右枠杆３３の支持面と後方の蓋部材５８とに覆われて前後二列の待機通路５２ａ，５２ｂが形成される。Ｓ字レール５２における上方の通路壁の一部は切り欠かれており、常にはこの切り欠き部に相当する通路壁５５ａが形成された流路切り替え部材５５により閉鎖されている。Ｓ字レール５２の下端部は球払出装置５３の受容口と位置整合して形成され、偏向出口から導入された遊技球を前後二列の整列状態で球払出装置５３に導くとともに、球払出装置の停止時に遊技球を待機通路５２ａ，５２ｂに整列状態で待機させる。
【００３３】
球払出装置５３は、上部中央の前後に待機通路５２ａ，５２ｂと連絡して遊技球を受容する受容口５３ａ，５３ｂ、下部の左右に遊技球を払い出す払出口５３ｃ，５３ｄが形成されるとともに、ケース内部には前後二段のインペラを有する球送り回転体５３ｒと、球送り回転体５３ｒを回転させる球払出モータ５３ｍとが設けられている（図１５を参照）。球送り回転体５３ｒの前列側のインペラ５３ｒ１および後列側のインペラ５３ｒ２には、それぞれ遊技球を受容するＵ溝状の受容部が１２０度間隔で三カ所設けられるとともに、前後のインペラはそれぞれ受容部の角度位置が６０度オフセットして形成されている。このため、受容口５３ａ，５３ｂから供給された遊技球は、球送り回転体５３ｒの回動に伴って前後のインペラ５３ｒ１，５３ｒ２の受容部に交互に受け入れられ、受容部の回動により右または左のカセット内通路に１個ずつ移動され左右いずれかの払出口５３ｃ，５３ｄから球払出通路６０に払い出される。
【００３４】
球払出制御装置８２には、主制御装置８１から遊技盤２０における入賞条件に応じた払出指令信号が入力されており、球払出制御装置８２は主制御装置８１から入力された払出指令信号に応じたモータ駆動信号を球払出装置５３に出力し、球払出装置５３は入力されたモータ駆動信号に基づいて球払出モータ５３ｍを作動させ、球送り回転体５３ｒを時計廻りまたは反時計廻りに所要の回転角度分だけ回転させて、モータ駆動信号に対応する数量の遊技球を右または左の払出口５３ｄ，５３ｃから球払出通路６０に払い出す。
【００３５】
また、プリペイドカードユニット９０が接続されたいわゆるＣＲ機では、上球皿６の前面側に球貸要求ボタンを有するＣＲ操作パネル９２が設けられてその出力信号が球払出制御装置８２に入力されており、球払出制御装置８２は、ＣＲ操作パネル９２から入力された球貸要求信号に応じたモータ駆動信号を球払出装置５３に出力し、球払出装置５３は入力されたモータ駆動信号に基づいて球払出モータ５３ｍを作動させ、球送り回転体５３ｒを反時計廻りまたは時計廻りに所要の回転角度分だけ回転させ、モータ駆動信号に対応する数量の遊技球を左または右の払出口５３ｃ，５３ｄから球払出通路６０に払い出す。
【００３６】
球払出口５３ｃ，５３ｄから払い出された遊技球は、球計数センサ５４，５４により通過が検出され、球払出制御装置８２は球計数センサから入力された検出信号から払い出された遊技球の数量をカウントしてモータ駆動信号に係る目標数量と比較し、球払出装置５３の作動を制御する。これにより、主制御装置８１から入力される払出指令信号やＣＲ操作パネル９２から入力される球貸要求信号に応じた数量の遊技球が球払出通路６０に払い出され、球払出通路６０を転動流下して上球皿６または下球皿７に払い出される。
【００３７】
なお、待機通路５２ａ，５２ｂの上部に設けられた球有検出センサ５１は、この球有検出センサが配設された上部位置まで遊技球が整列待機されているか否かを検出することで、遊技球の払い出しを不足なく行い得る数量（例えば３５球程度）の遊技球が保持されているか否かを判定するためのセンサであり、その検出信号が球払出制御装置８２に出力されている。球払出制御装置８２は球有検出センサ５１から入力された検出信号が球無し状態であるときに、球払出装置５３の作動を規制し所定のアラームを発生させる。
【００３８】
また、整列通路４２ａ，４２ｂの下流部に上部球止め機構が設けられ、待機通路５２ａ，５２ｂの上流部に上部球抜き機構が設けられている。上部球止め機構は、偏向出口の上方に位置して基枠体３１の支持面と平行な面内に揺動可能に枢支された球止め部材４５からなる。球止め部材４５には、前後の整列通路４２ａ，４２ｂの配設位置に合わせて鉤状のフック部が形成されており、球止め部材４５を反時計廻りに揺動させて前後のフック部を整列通路４２ａ，４２ｂに突出させることで遊技球を堰き止め、フック部よりも上流側に位置する遊技球の流下を規制できるようになっている。
【００３９】
上部球抜き機構は、右枠杆３３の裏面側に右枠杆の支持面と平行な面内に揺動可能に枢支された流路切り替え部材５５と、右枠杆３３の前面側に右枠杆の支持面と直交方向に揺動可能に取り付けられた操作部材５６、および待機通路を開放したときに溢れ出る遊技球を遊技島の回収装置に導く球抜き通路５７などから構成される。
【００４０】
流路切り替え部材５５の下部には、Ｓ字レール５２の切り欠き部に相当する壁面形状を有する通路壁５５ａが形成され、中間部に形成された支軸孔で右枠杆３３の支持ボスに揺動自在に枢支されている。また球抜き通路５７は、Ｓ字レール５２の右側方に位置して基枠体３１の裏面側に形成された予備通路５７ａ、予備通路５７ａの下方に右枠杆３３の支持面を貫通して形成された連絡開口５７ｂ、および基枠体３１の前面側に連絡開口５７ｂから下方に向かって形成された下降通路５７ｃなどからなる。下降通路５７ｃの前方は基枠体３１の前面側に取り付けられた前カバー１１８で覆われており（図７等を参照）、右枠杆３３の下方で前述した遊技済み球排出通路に繋がっている。
【００４１】
流路切り替え部材５５は、操作部材５６の係合突起との係合により常にはＳ字レールの切り欠き部を塞ぐ閉止位置に保持されており、上流側から供給された遊技球が前後二列の待機通路５２ａ，５２ｂにより整列状態で球払出装置５３に導かれる。一方、操作部材５６の操作レバー部が後方に揺動操作されると、係合突起と流路切り替え部材との係合が解除されて流路切り替え部材５５が反時計廻りに揺動し、解放された切り欠き部から予備通路５７ａに溢れ出た遊技球が、連絡開口５７ｂから下降通路５７ｃおよび遊技済み球排出通路を介して遊技島の回収装置に流下される。
【００４２】
このため、上部球止め機構を利用して遊技球の流下を規制し、上部球抜き機構を利用して球抜き操作を行うことにより、球貯留タンク４１やタンクレール４２に貯留された遊技球を全量球抜きすることなく、球有り検出センサ５１の近傍に位置する遊技球のみを球抜きして、球有り検出センサ５１の保守点検や交換作業を行うことができるようになっている。
【００４３】
なお、前枠２およびガラス扉５には、裏セット盤３０を前枠２に閉鎖保持させた状態で操作部材５６の操作レバー部の前方に対峙する位置に、ハートキーと称される保守作業用の操作ピン（図６および図７に付記するハートキー１４５を参照）を挿通させる球抜き操作孔５ｈが形成されており、パチンコ機ＰＭの前面側から球抜き操作孔５ｈにハートキー１４５を挿入して操作レバー部を押圧操作することにより、パチンコ機の外部から球抜き操作および球抜き後の復帰操作を行えるようになっている。
【００４４】
さて、以上のように構成される払い出し機構における待機通路５２ａ，５２ｂ中間部に受圧制御ユニットが設けられ球払出制御機構が構成される。以下図４〜図１３の各図を併せて参照しながら受圧制御ユニット１００の構成および作用について詳細に説明する。なお、図４は受圧制御ユニット１００を右斜め後方から見た分解斜視図、図５および図６はそれぞれ図３中のV〜矢視およびVI〜矢視方向の側断面図、図７は図３中のVII−VII矢視方向の平断面図、図８は右枠杆３３の前面側から見た受圧制御ユニット１００の正面図である。また図９は球払出制御機構の制御形態を主として示すブロック図、図１０は球払出制御機構におけるソレノイドと球払出モータの駆動タイミングを示すタイミングチャート、図１１および図１２は受圧状態における遊技球の係止状況を示す背面図、図１３はハートキーにより球止め状態にしたときの受圧制御ユニット１００の背面図である。
【００４５】
受圧制御ユニット１００は、大別的には、Ｓ字レール５２の屈曲部に回動自在に支持されて、前後の待機通路５２ａ，５２ｂを流下する遊技球の圧力により各々回転可能に設けられた前後の球受け回転体１２０ａ，１２０ｂと、これらの球受け回転体１２０（１２０ａ，１２０ｂ）の回転を規制せずに遊技球の圧力による回転を許容する解放状態Ｐｆ、および前後の球受け回転体１２０の回転をともに規制して上流側に貯留された遊技球から作用する圧力を受け止める受圧状態Ｐｒに変移可能に設けられた回転制御機構１３０と、球受け回転体１２０を球止め状態Ｐｓに係止させる球止め構造１４０などから構成される。
【００４６】
球受け回転体１２０は、遊技球の球径の半分程度の厚さを有する回転盤の外周部に、球半径より幾分大きめの受容半径を有する円弧状の球受け溝１２０ｕが、連接する遊技球の配設ピッチに合わせた所定角度ピッチで複数形成されるとともに、隣接する球受け溝１２０ｕ，１２０ｕの間に外周方向に突出する山形の受圧爪１２０ｔが形成された爪車形態をなし、基本的には同一形状の球受け回転体が前後二列の待機通路５２ａ，５２ｂに対応して２個用いられる。球受け回転体１２０の中心部には前後にボスが形成され、その中心にＳ字レール側の枢支軸１２５の軸径よりもわずかに大きめの内径を有する軸孔が前後貫通して形成されている。球受け回転体１２０は、例えば超高分子ポリエチレンやポリアセタール樹脂などの低摩擦係数の樹脂材料を用い、射出成型等の成形手段により各一体に形成される。
【００４７】
Ｓ字レール５２には、球払出装置５３上方の屈曲部を上下に繋ぐ仕切壁５２ｗに、前後に突出して中空円筒状の枢支軸１２５ａ，１２５ｂが形成され、この枢支軸１２５ａ，１２５ｂを取り囲む右通路壁５２Ｒに受圧爪１２０ｔ，１２０ｔを挿通させる受圧爪挿通部１２６ａ，１２６ｂが形成されている。枢支軸１２５（１２５ａ，１２５ｂ）および受圧爪挿通部１２６（１２６ａ，１２６ｂ）は、球受け回転体１２０（１２０ａ，１２０ｂ）の前後方向厚さおよび回転軌跡を基準として形成されており、前後の球受け回転体１２０をそれぞれ枢支軸１２５に支持させた状態で各球受け回転体の受圧爪１２０ｔが待機通路５２ａ，５２ｂに突出して配設され、待機通路を流下する遊技球の圧力で各球受け回転体１２０ａ，１２０ｂが各々独立して回転し得るように形成されている。なお、前列側の受圧爪挿通部１２６ａの前方の右通路壁は右枠杆３３の支持面に、後列側の受圧爪挿通部１２６ｂの後方の右通路壁は蓋部材５８の前面側に形成されており、受圧爪挿通部１２６は前後に開いた切り欠き状になっている。
【００４８】
右枠杆３３におけるＳ字レール前方の支持面には、前述した流路切り換え部材を揺動自在に枢支する支持ボスおよびＳ字レール５２を嵌脱自在に支持する支持ボスが後方に突出して設けられるとともに、上記枢支軸１２５ａの前方に位置整合して枢支軸固定ネジ１２８の先端ネジ部を受容して螺合する枠側ネジ受容部１１２ａが形成されている。また蓋部材５８には枢支軸１２５ｂの後方に位置整合して枢支軸固定ネジ１２８のネジ頭部を受容するザグリ孔形態の蓋側ネジ受容部１１２ｂが形成されている。
【００４９】
球受け回転体１２０は、前後の球受け回転体１２０ａ，１２０ｂをＳ字レール５２の前後の枢支軸１２５ａ，１２５ｂにそれぞれ枢支させ、このように球受け回転体１２０が枢支されたＳ字レール５２および流路切り換え部材５５を右枠杆３３の支持ボスに支持させて、蓋部材５８の後方から各支持ボスにネジを螺合締結するとともに、枢支軸固定ネジ１２８を蓋側ネジ受容部１１２ｂおよび枢支軸１２５を挿通させて枠側ネジ受容部１１２ａに螺合締結することにより、Ｓ字レール５２等とともに右枠杆３３に取り付けられ、各球受け回転体１２０ａ，１２０ｂがそれぞれ独立して回転自在に配設される。なお、蓋部材５８のネジ止めは、具体的には、次述する揺動体１３１の取り付けとともに行われる。
【００５０】
一方、回転制御機構１３０は、球受け回転体１２０と隣接して揺動可能に支持される揺動体１３１、揺動体１３１の上部に取り付けられて球受け回転体１２０と係脱する回転規制具１３２、揺動体１３１を常時時計廻りに付勢する戻しバネ１３４、ソレノイド駆動信号がONされたときに戻しバネ１３４のバネ力に抗して揺動体１３１を反時計廻りに揺動させるソレノイド１３５などを主体として構成される。
【００５１】
揺動体１３１は、基板となる平板状の本体プレート部１３１ａ、本体プレート部の左面側の上部に回転規制具の形状寸法に合わせて形成された回転規制具装着部１３１ｂ、本体プレート部の右面側に上部から中央部にかけてリブ状に形成されたカムプレート部１３１ｃ、本体プレート部の右面側中央部に鉤型に突出成型されたバネ掛止フック１３１ｆ、本体プレート部１３１ａの下端部に形成された軸受部１３１ｊ、本体プレート部の上端部に上方に突出成型された舌片状のキー係合片１３１ｋ、本体プレート部から後方に延びて突出成型された軸状の操作摘み１３１ｍ、などからなり、ガラス繊維または炭素繊維を添加してじん性を強化したＡＢＳ樹脂やナイロン樹脂ポリアセタール樹脂などの樹脂材料を射出成型等の成形手段により一体成型して構成される。
【００５２】
本体プレート部１３１ａの左面側の上部に形成された回転規制具装着部１３１ｂは、次述する回転規制具１３２の上面を支持する上面支持壁と、回転規制具１３２の下面を支持する下面支持壁と、回転規制具１３２の裏面側に形成された雌ネジ部と位置整合して形成されたサラ孔形態のネジ挿通孔とを有し、回転規制具１３２を上下の支持壁間に嵌め込んでネジ固定することにより、回転規制具１３２を着脱交換可能に支持し得る構成になっている。
【００５３】
回転規制具１３２は、前後の球受け回転体１２０の受圧爪１２０ｔの配設範囲よりも広い前後方向幅で、球受け回転体１２０の回転角度位置の如何に拘わらず受圧爪１２０ｔと係合し得る上下方向高さを有し、幾分左下方に位置して対峙する球受け回転体に合わせて左面側がわずかに前傾した台形ブロック状に形成される。回転規制具１３２の左面には、前後方向に延び溝底部に向けて溝幅が狭くなる台形溝状の爪受容溝１３２ｔが上下に並んで複数列形成されており、受圧爪１２０ｔの先端稜部を爪の高さ位置に応じたいずれかの溝内に受容し、上下のテーパ状の溝面に挟み込んで係合可能になっている。また回転規制具１３２の右面側には、揺動体１３１のネジ挿通孔と整合する位置に雌ネジ部を有するネジブッシュが埋め込まれている。
【００５４】
回転規制具１３２は、例えばポリウレタンやイソプレンゴム等のような耐摩耗性と反発弾性を備えた高分子材料を型締めおよび加硫処理して成型され、ネジブッシュをインサートモールドまたは成型後に埋め込んで形成される。回転規制具１３２は、回転規制具装着部１３１ｂの上下の支持壁間に回転規制具１３２を嵌め込んで支持させ、揺動体右面側のネジ挿通孔から回転規制具のネジブッシュにサラコネジを螺合させて締め込むことで揺動体１３１の上部に取り付けられる。
【００５５】
本体プレート部１３１ａの右面側に立設されたカムプレート部１３１ｃは、本体プレート部１３１ａの上部から中央部にかけて上下に延びるリブ状をなし、上部には下方に向けて徐々に高さが高くなる係合斜面が形成されている。バネ掛止フック１３１ｆはカムプレート部１３１ｃの下側に位置して上向きの鉤型に突出成型されており、戻しバネ１３４の一端を係止し得るようになっている。一方右枠杆３３の支持面には戻しバネ１３４の他端側をネジ止めするバネ固定ボスが形成され、その左側の仕切壁には戻しバネ１３４を通す切り欠き部が形成されている。
【００５６】
本体プレート部下端の軸受部１３１ｊは、本体プレート部１３１ａと滑らかに繋がって前後に延びる円筒状に形成されており、その軸心には揺動軸１３３の外径よりもわずかに大きめの内径を有して前後連通する軸受孔が形成されている。右枠杆３３の支持面には揺動軸１３３の外径と同径またはわずかに小さめの内径を有して揺動軸１３３の前端部を嵌合支持する枠側支軸部１１３ａが形成され、蓋部材５８の前面側には枠側支軸部１１３ａと位置整合して揺動軸１３３の後端部を緩挿支持する蓋側支軸部１１３ｂが形成されている。また蓋部材５８には揺動体１３１を揺動軸１３３に支持させたときの操作摘み１３１ｍの揺動軌跡に合わせた円弧状の摘み挿通孔１１７が蓋部材５８の表裏を貫通して形成されている。
【００５７】
そこで、前述したようにＳ字レール５２が支持された右枠杆３３の枠側支軸部１１３ａに揺動軸１３３の前端部を嵌入して取り付け、後方に突出する揺動軸１３３の後端側から揺動体の軸受部１３１ｊを嵌挿することで、回転規制具１３２を備えた揺動体１３１が揺動軸１３３に揺動自在に支持される。次いで、一端がバネ固定ボスにネジ止めされた戻しバネ１３４の他端側を揺動体のバネ掛止フック１３１ｆに掛止し、このように揺動体１３１および戻しバネ１３４が取り付けられた右枠杆３３の後方から、蓋部材５８を覆い被せて操作摘み１３１ｍを摘み挿通孔１１７に挿通させ、揺動軸１３３の後端部を蓋側支軸部１１３ｂに嵌挿することで、揺動体１３１が右枠杆３３に位置決め支持される。そして、蓋部材５８の後面側から右枠杆３３の各支持ボスにネジを螺合締結し、また枢支軸１２５を通して右枠杆３３の枠側ネジ受容部１１２ａに枢支軸固定ネジ１２８を螺合締結することにより、Ｓ字レール５２、前後の球受け回転体１２０ａ，１２０ｂ、回転規制具１３２を備えた揺動体１３１が右枠杆３３の後面側に配設される。
【００５８】
一方、右枠杆３３の前面側には、基枠体３１の剛性を確保し枠体強度を高めるための枠壁１１４が窓口３２の周囲を囲むように形成されており、この枠壁１１４の下部に回転制御機構１３０のソレノイド１３５を支持するソレノイド支持部１１５が形成されている。また、右枠杆３３を前後に仕切る支持面に駆動伝達具１３６の係合ピン１３６ｂを挿通させるピン挿通孔１１６が形成されている。ソレノイド支持部１１５は、ソレノイドのケース１３５ａを左右から挟み込むように支持する平行壁面状に形成され、このうち窓口側の支持壁には固定ネジ１３８を前端側から受容するネジ受容スリット１１５ｓ，１１５ｓが形成されている。ピン挿通孔１１６は、係合ピン１３６ｂの軸径よりも大きめの開口幅でソレノイド１３５の駆動ストロークよりも大きめの開口長さを有する長孔状に形成されている。
【００５９】
ソレノイド１３５は、金属製のケース１３５ａと、ケース内に収められた駆動コイル１３５ｂ、駆動コイルの空芯部に上下にスライド変位可能に支持されたプランジャ１３５ｃ、プランジャ１３５ｃの外周部に装着されたリターンスプリング１３５ｄ、空芯部内でプランジャの下端部に固着されケース１３５ａから下方に突出して上下にスライド変位可能に支持されたプッシュロッド１３５ｅなどからなり、駆動コイル１３５ｂにソレノイド駆動信号を印加したときにプランジャ１３５ｃが吸引されてプッシュロッド１３５ｅが下方に突出作動され、ソレノイド駆動信号をOFFにしたときにリターンスプリング１３５ｄのバネ力によりプランジャ１３５ｃが引き上げられてプッシュロッド１３５ｅが基準位置に戻るスプリングリターン式の直動型電磁ソレノイドである。駆動コイル１３５ｂの信号線は球払出制御装置８２に接続され、ソレノイド１３５は球払出制御装置８２によって作動が制御される。プッシュロッド１３５ｅの先端部には円盤状の軸端フランジ１３５ｆが固着され、ケース１３５ａの側面にはソレノイド１３５を取り付けるためのネジ穴が上下二カ所に形成されている。
【００６０】
駆動伝達具１３６は、軸端ブロック１３６ａと係合ピン１３６ｂとからなり、軸端ブロック１３６ａには、プッシュロッド先端の軸端フランジ１３５ｆを受容して係止する係止スリット１３６ｆが形成されている。係合ピン１３６ｂは滑らかな円柱状のピンであり、プッシュロッドの作動軸と直交方向に延びて設けられている。駆動伝達具１３６は、例えばポリアセタール樹脂やＡＢＳ樹脂などの樹脂材料を用いて射出成型等の成形手段で一体に形成され、あるいは同様の成型方法により形成された軸端ブロック１３６ａにステンレス等の金属製の係合ピン１３６ｂを打ち込んで圧入固着し、または樹脂製の軸端ブロック１３６ａに金属製の係合ピン１３６ｂをインサートモールドする等の手段により一体に形成される。
【００６１】
駆動伝達具１３６は、軸端ブロックの係止スリット１３６ｆに軸端フランジ１３５ｆを係合させて圧入固定することでプッシュロッド１３５ｅの下端部に固定され、駆動伝達具１３６とソレノイド１３５とが一体化される。そしてソレノイド１３５のケース側面のネジ穴に固定ネジ１３８，１３８を緩く螺合させてネジ受容スリット１１５ｓ，１１５ｓに係合させ、ソレノイド１３５を後方（右枠杆の支持面方向）にスライドさせて左右の支持壁間に緩挿させる。すると固定ネジ１３８，１３８がネジ受容スリット１１５ｓ，１１５ｓの溝内を後方にスライドするとともに、駆動伝達具１３６の係合ピン１３６ｂがピン挿通孔１１６を通ってカムプレート部１３１ｃの右斜め上方に配設され、ソレノイド１３５のケース後端面が右枠杆の支持面に係合して位置決めされた状態で上下の固定ネジ１３８を締め込むことで回転制御機構１３０が形成される。
【００６２】
そして以上のように、球受け回転体１２０および回転制御機構１３０が設けられて受圧制御ユニット１００が形成され、ソレノイド１３５の信号線を球払出制御装置８２に接続することで受圧制御ユニット１００の作動が球払出制御装置８２によって制御される。
【００６３】
受圧制御ユニット１００の取付状態、すなわちソレノイド駆動信号がOFFの状態では、プランジャ外周部に装着されたリターンスプリング１３５ｄのバネ力によりプッシュロッド１３５ｅがケース内に収容されて、駆動伝達具の軸端ブロック１３６ａがソレノイドのケース１３５ａ下面に当接した基準位置に配設される。また、戻しバネ１３４により時計廻りに付勢された揺動体１３１は、カムプレート部１３１ｃの右斜め上方に位置する駆動伝達具の係合ピン１３６ｂと係合して右方への傾動が規制され、回転規制具１３２が球受け回転体１２０と離れた状態で配設される。このため、前後の球受け回転体１２０ａ，１２０ｂは回転規制具１３２から何らの規制力を受けることなく各々自由に回転し得る解放状態とされ、待機通路５２ａ，５２ｂを流下する遊技球は、各球受け回転体１２０ａ，１２０ｂをそれぞれ反時計廻りに回転させながら球払出装置５３に向けて流下する。
【００６４】
従って、図３および図５〜図８に示す解放状態Ｐｆでは、上流側に貯留された遊技球から作用する圧力が下流側に停留する遊技球に伝達され、待機通路を流下する遊技球は規制を受けずにそのまま流下する。球払出制御機構では、遊技球の払い出しが開始される以前においては、球受け回転体１２０の回転を規制することなく、待機通路を流下する遊技球の圧力により球受け回転体１２０が回転することを許容する解放状態Ｐｆに設定されている。
【００６５】
一方、球払出制御機構では遊技球の払い出しが開始されるときに、球払出モータ５３ｍの回転起動に先立って回転制御機構１３０を作動させ、球受け回転体１２０の回転を規制する。以下では、図９に示した球払出制御機構における制御構成のブロック図、および図１０に示したソレノイド１３５と球払出モータ５３ｍのタイミングチャートを参照しながら球払出制御機構の動作を中心に説明する。なお図１０における(ａ)(ｂ)(ｃ)の各図は遊技盤２０における入賞条件やＣＲ操作パネル９２の球貸要求ボタンによる球貸しなど、払出条件が相違する場合の制御タイミングを例示したものである。
【００６６】
主制御装置８１には、各入賞具の入賞検出センサ２３ｓ，２４ｓ，２５ｓ，２５ｔから検出信号が入力されており、主制御装置８１は各入賞検出センサから入賞検出信号が入力されたときに、当該入賞検出信号から入賞条件を判断し入賞条件に基づいた払出指令信号を球払出制御装置８２に出力する。例えば、入賞検出信号が一般入賞具２３の入賞検出センサ２３ｓまたは始動入賞具２４の入賞検出センサ２４ｓから入力されたときには、主制御装置８１は、これらの入賞具２３，２４に入賞したときの払出数量が少数個（例えば４個あるいは８個）に該当することを内部メモリーに設定記憶されたテーブルから判断し、当該少数個に対応した払出指令信号Ｃ１を球払出制御装置８２に出力する。また入賞検出信号がアタッカー装置２５の入賞検出センサ２５ｓ，２５ｔから入力されたときには、主制御装置８１は大入賞口に入賞したときの払出数量が多数個（例えば１５個）に該当することを同様に判断し、多数個に対応した払出指令信号Ｃ２を球払出制御装置８２に出力する。
【００６７】
球払出制御装置８２には、主制御装置８１から入力される上記払出指令信号Ｃ１，Ｃ２に加えて、ＣＲ操作パネル９２から球貸要求信号Ｃ３が入力されている。球貸しは一般に２５個を単位として行われており、球貸要求信号はこの２５個の払い出しを要求する信号である。
【００６８】
球払出制御装置８２にこれらの信号が入力されると、球払出制御装置８２は、まず球有検出センサ５１の検出信号を参照し、払い出しを行うのに充分な数量の遊技球が待機通路の上部まで貯留待機されているか否かを判断する。そして検出信号が球無し状態であるとき（例えば球有検出センサ５１の接点がオープンのとき）には主制御装置８１に球切れ信号を出力し、主制御装置８１はパチンコ機前面の球切れ表示ランプを点灯させ、またターミナル基板８５を介して遊技施設側の管理装置に球切れ信号を出力するなどのアラームを発生する。
【００６９】
一方、球有検出センサ５１の検出信号が球有り状態であるとき（同様に球有検出センサ５１の接点がクローズのとき）には、受圧制御ユニット１００および球払出装置５３にそれぞれ駆動信号を出力して遊技球の払い出しを行わせる。
【００７０】
ところで、球払出制御装置８２に入力された払出指令信号Ｃ１，Ｃ２および球貸要求信号Ｃ３は、それぞれ異なる個数の払い出しを求める信号である。そこで球払出制御装置８２は入力された払出指令信号等Ｃ１，Ｃ２，Ｃ３から、払い出すべき数量（払出条件）に応じたモータ駆動信号Ｍ１，Ｍ２，Ｍ３を生成し、球払出装置５３の球払出モータ５３ｍに出力する。また球払出制御装置８２は、受圧制御ユニット１００のソレノイド１３５を駆動するソレノイド駆動信号Ｓ１，Ｓ２，Ｓ３を生成し、ソレノイド１３５に出力する。
【００７１】
図１０(１)(２)(３)に、それぞれ球払出数量が少数個(１)、多数個(２)、球貸し(３)で、それぞれ複数回連続動作させたとき（複数の払出指令信号等が蓄積されて連続払出状態のとき）のモータ駆動信号Ｍ１，Ｍ２，Ｍ３と、ソレノイド駆動信号Ｓ１，Ｓ２，Ｓ３との関係をタイミングチャートで示すように、ソレノイド駆動信号Ｓ（Ｓ１，Ｓ２，Ｓ３）はモータ駆動信号Ｍ（Ｍ１，Ｍ２，Ｍ３）と同期して、モータ駆動信号Ｍが出力される直前（換言すれば球払出モータ５３ｍの回転起動前）にONになり、モータ駆動信号Ｍが出力されて所定時間経過後（球払出モータ５３ｍの回転起動後）にOFFになるパルス状の駆動信号である。
【００７２】
すなわちソレノイド駆動信号ＳがONされる時点では、球払出モータ５３ｍは未だ回動しておらず、整列通路４２ａ，４２ｂおよび待機通路５２ａ，５２ｂには、遊技球が前後二列に整列されて上流の球貯留タンク４１から下流の球払出装置５３まで密に繋がった状態で停留されている。
【００７３】
ソレノイド駆動信号ＳがONになると、ソレノイド１３５のプランジャ１３５ｃがリターンスプリング１３５ｄのバネ力に抗してケース内に引き込まれ、プッシュロッド１３５ｅが下方に押し出されて駆動伝達具１３６を下動させ、係合ピン１３６ｂがカムプレート部１３１ｃの係合斜面と係合してカムプレート部１３１ｃを左方に押圧する。このため揺動体１３１が揺動軸１３３を中心として反時計廻りに揺動され、揺動体上部の回転規制具１３２が球受け回転体１２０の外周部に押し付けられる。
【００７４】
ここで、回転規制具１３２は、その前後方向幅が前後の球受け回転体の受圧爪１２０ｔの配設範囲よりも広く形成されるとともに、球受け回転体１２０の回転角度位置の如何に拘わらず何れかの受圧爪１２０ｔと係合し得る上下方向高さを有して形成されている。そして回転規制具１３２の前面側には、底部に向けて溝幅が狭くなる台形溝状の爪受容溝１３２ｔが上下に並んで複数列形成されており、受圧爪１２０ｔの先端稜部を上下のテーパ状の溝面で滑らかに係合するとともに、上下の溝面間に挟み込んで確実に係止可能になっている。
【００７５】
このため、ソレノイド１３５のON作動により回転規制具１３２が球受け回転体１２０の外周部に押圧されると、前後各列の受圧爪１２０ｔ，１２０ｔの先端稜部が、その回転角度位置に応じた高さ位置の爪受容溝１３２ｔ，１３２ｔに滑らかに導かれて係合し、上下のテーパ状の溝面間に挟み込まれて係止される。例えば図１１および図１２に、異なるタイミングで係止された前後の球受け回転体１２０ａ，１２０ｂの係止状態を例示するように、前後の球受け回転体１２０ａ，１２０ｂは、それぞれの受圧爪１２０ｔ，１２０ｔの回転角度位置に応じた何れかの高さ位置の爪受容溝１３２ｔ，１３２ｔと係合し、その爪受容溝の溝面間に挟み込まれて係止される。
【００７６】
従って、球払出装置５３における球送り回転体５３ｒのインペラ構成により、前列側の待機通路５２ａと後列側の待機通路５２ｂとで遊技球の位置がずれて整列されていても、あるいは通路内に停留された遊技球の整列状態の差異により遊技球の位置が変化したとしても、前後の球受け回転体１２０ａ，１２０ｂをともに確実に係止可能になっている。
【００７７】
このようにして前後の球受け回転体１２０ａ，１２０ｂが当該回転角度位置で回転規制されると、そのとき球受け溝１２０ｕ，１２０ｕに受容されていた遊技球は、当該球受け溝の下流側の受圧爪１２０ｔ，１２０ｔに流下を規制され、上流側に貯留された遊技球から作用する圧力が各列の球受け回転体１２０ａ，１２０ｂに受け止められた状態で係止される。このように、上流側に貯留された遊技球から作用する圧力を球受け回転体１２０が受け止めた状態を受圧状態Ｐｒという。
【００７８】
ここで、ソレノイド１３５には、反力としてケースを反時計廻りに回動させる方向にモーメントが作用するが、ソレノイド支持部１１５はケースの左右両面を支持する壁面構成のため、ソレノイド自身が回動されてしまうようなことがない。また、直動型ソレノイドの実動ストロークは、プランジャの移動位置における発生推力と反力とが釣り合う平衡点で規定され、図１１に示すように揺動体１３１の傾動角度が小さい状態では、ソレノイド１３５の発生推力と揺動体１３１からの反力とがバランスした状態で保持される。さらに、回転規制具１３２がポリウレタン等の反発弾性を有する高分子材料で形成されているため、受圧爪１２０ｔを爪受容溝１３２ｔに捕捉して球受け回転体１２０の回転を確実に規制しつつ、押圧力に応じて弾性変形し得るようになっている。このため、図１１および図１２のいずれの状態でもソレノイド１３５や駆動伝達具１３６、揺動体１３１、球受け回転体１２０等に無理な負荷を作用させることなく、遊技球が受圧爪１２０ｔ，１２０ｔに受け止められた状態で弾性的に係止保持される。また揺動体１３１の上部に回転規制具１３２の上面を支持する上面支持壁が形成されているため、受圧爪１２０ｔから上向きに作用する力を受け止めて、回転規制具のネジブッシュに無理なスラスト力を作用させたり、回転規制具を変形させたりしないようになっている。
【００７９】
球受け回転体１２０が受圧位置Ｐｒに変位した状態では、球受け回転体１２０よりも下流側に位置する遊技球に作用する圧力が大幅に軽減され、球払出モータ５３ｍには、このように圧力が軽減された状態、より具体的には受圧爪１２０ｔ，１２０ｔと球送り回転体５３ｒとの間に位置する１５球程度の重量に軽減された状態で、球払出制御装置８２からモータ駆動信号Ｍ（Ｍ１，Ｍ２，Ｍ３）が出力される。
【００８０】
モータ駆動信号Ｍ１，Ｍ２，Ｍ３は、払い出し数量に相当する回転角度分、球送り回転体５３ｒを時計回りまたは反時計回りに回動させる信号であり、例えば少数個の払出指令信号Ｃ１が４個の場合には球払出モータを２４０度、８個の場合には４８０度、時計回りに回動させるモータ駆動信号Ｍ１を出力して球送り回転体５３ｒを回動させ、右側の払出口５３ｄから球払出通路６０に払い出す。多数個の払出信号の場合も同様であり、１５個の払出指令信号Ｃ２に対して球払出モータを９００度（２．５回転）時計回りに回動させるモータ駆動信号Ｍ２を出力して球送り回転体５３ｒを回動させ、右側の払出口５３ｄから球払出通路６０に払い出す。また球貸要求信号Ｃ３（２５個）の場合には、球払出モータを１５００度（４回転と６０度）反時計回りに回動させるモータ駆動信号Ｍ３を出力して球送り回転体５３ｒを回動させ、左側の払出口５３ｃから球払出通路６０に払い出す。
【００８１】
モータ駆動信号Ｍが出力されて所定時間（例えば５０〜２００ms程度の時間）が経過すると、球払出制御装置８２はソレノイド駆動信号ＳをOFFにする。ソレノイド駆動信号がOFFになると、リターンスプリング１３５ｄのバネ力によりプッシュロッド１３５ｅが引き込まれて駆動伝達具１３６が基準位置に戻り、係合ピン１３６ｂの上動に伴って揺動体１３１が戻しバネ１３４のバネ力により時計廻りに揺動し、回転規制具１３２と球受け回転体１２０ａ，１２０ｂとの係合（各爪受容溝１３２ｔと受圧爪１２０ｔとの係合）が解除されて、回転規制具１３２が球受け回転体１２０から離れた状態に配設される。
【００８２】
これにより、前後の球受け回転体１２０ａ，１２０ｂは回転規制が解除されて初期の解放状態Ｐｆに戻り、それまで受圧爪１２０ｔ，１２０ｔに押しとどめられていた遊技球が球受け回転体１２０ａ，１２０ｂを回転させながら待機通路５２ａ，５２ｂを流下する。そして球送り回転体５３ｒの回転起動に伴って待機通路５２ａ，５２ｂを先に下動する遊技球に追いつき滑らかに払い出される。なお球受け回転体１２０の配設位置は、球受け回転体１２０の下流側に、入賞条件に応じて払い出される数量（本実施例では多数個の払出数量に相当する１５球程度）を停留可能に構成されており、とぎれることなく滑らかに払い出されるようになっている。
【００８３】
こうして球払出口５３ｃ，５３ｄから払い出された遊技球は、左右の球計数センサ５４，５４により通過が検出され、球払出制御装置８２は球計数センサ５４から入力された検出信号から払い出された遊技球の実数をカウントしてモータ駆動信号Ｍに係る目標数量と比較し、球払出モータ５３ｍの作動を制御する。これにより、遊技盤２０における入賞条件やＣＲ操作パネル９２から入力される球貸要求等の払出条件に応じた数量の遊技球が球払出通路６０に払い出され、球払出通路６０を転動流下して上球皿６または下球皿７に払い出される。
【００８４】
遊技球の払い出し作動は、払出指令信号Ｃが複数蓄積されている場合、例えば払出指令信号Ｃ２がｎ個蓄積されている場合でも、各払出指令信号Ｃ２に対応して１作動ずつｎ回繰り返して行われ、ソレノイド駆動信号Ｓ２はモータ駆動信号Ｍ２の出力ごとに、モータ駆動信号Ｍ２の立ち上がりに先立って出力される。
【００８５】
このため、球払出装置５３にとって最も大きな回転トルクが必要とされる球払出モータ５３ｍの回転起動時に、球受け回転体１２０が上流側の遊技球の圧力を受けて球払出モータ５３ｍに対する負荷を大幅に軽減し、これにより、小型のモータを用いた球払出装置でも適正な払出作動を確保することができる。また球払出モータ５３ｍのみならず、球送り回転体５３ｒや受容口５３ａ，５３ｂ等に対する負荷をも軽減できるため、小型の球払出装置を用いても長期間安定して作動させることができる。さらに、球流れの整流効果を持った球受け回転体１２０を設けるとともに、その回転状態を制御する回転制御機構１３０の駆動源（ソレノイド１３５）を基枠体３１の支持面と遊技盤２０との間に配設しているため、裏セット盤３０の厚さを増加させないコンパクトな構成で、上記各効果を具備した球払出制御機構を提供することができる。
【００８６】
なお、裏セット盤３０の背面側における視認可能な位置、例えば球払出装置５３の側部やソレノイド近傍の窓口側面に、裏セット盤３０の背面側から視認可能にLED等の発光素子１３７を設けるとともに、球払出制御装置８２から発光素子１３７を点滅させる発光制御信号をソレノイド駆動信号Ｓと同時に出力させ、ソレノイド１３５の駆動時に発光素子を点灯させるように構成することも好ましい。このような構成によればソレノイド１３５の駆動時、すなわち球受け回転体１２０が受圧状態Ｐｒになったときに発光素子１３７が点灯され、受圧制御ユニット１００の作動状況を裏セット盤３０の背面側から容易に目視確認することができる。
【００８７】
以上では、球払出制御装置８２に入力される払出指令信号等Ｃが、少数個または多数個の球払出指令信号Ｃ１，Ｃ２であるか球貸し要求信号Ｃ３であるかによらず、球払出装置５３の作動時全てについて受圧制御ユニットの作動を制御する制御形態を例示したが、入力される信号の種別に応じて作動状態を変化させ、あるいは払い出される遊技球の数量や払い出しの連続状況等に応じて、作動状態を適宜変更して構成すること（例えば、少数個の払出指令信号Ｃ１が複数蓄積されているような場合には、最初の払出作動時のみ受圧制御ユニットを作動させるように構成すること等）も可能である。
【００８８】
球払出制御機構には、以上説明した球払出モータ５３ｍの回転起動時の負荷を軽減させる圧力制御機能に加えて、遊技球の流下を人為的に止める球止め機能が具備されている。この機能は、球止め構造１４０により実現され、例えば球払出装置５３の点検作業や交換作業などのように、球貯留タンク４１に貯留された遊技球を全量球抜きする必要がなく、かつ上部球抜き機構では抜ききれない待機通路内の遊技球を球抜きするときに利用される。
【００８９】
球止め構造１４０は、揺動体１３１に形成された操作摘み１３１ｍを主体として構成され、受圧ユニット１００を球止め状態に保持させるときには、揺動体１３１に形成されたキー係合片１３１ｋ、右枠杆３３の支持面に形成された枠側キー支持孔１４１ａ、蓋部材５８に形成された蓋側キー支持孔１４１ｂ、およびハートキー１４５が利用される。ハートキー１４５は、線径1.5〜2mm、長さ80〜100mm程度の金属製のピンであり、前述した球抜き操作等を行うために遊技施設の係員が施錠装置４の鍵とともに常時携行する作業用の操作ピンである。
【００９０】
前述したように、揺動体１３１には本体プレート部１３１ａから後方に突出して操作摘み１３１ｍが形成される一方、蓋部材５８には操作摘み１３１ｍの揺動軌跡に合わせた円弧状の摘み挿通孔１１７が開口形成されており、操作摘み１３１ｍが蓋部材５８の後面側に突出した状態で配設されている。
【００９１】
このため、操作摘み１３１ｍに指を掛け、戻しバネ１３４のバネ力に抗して左方に押圧操作することで、揺動体１３１を反時計廻りに揺動させて回転規制具の爪受容溝１３２ｔを球受け回転体の受圧爪１２０ｔに係合させることができ、球受け回転体１２０の回動を規制して遊技球の流下を規制する球止め状態Ｐｓを人為的に創出することができる。これにより、球受け回転体よりも上流側に停留された遊技球は、回転規制された球受け回転体の受圧爪１２０ｔ，１２０ｔに堰き止められ下流側への流下が規制される。
【００９２】
また枠側キー支持孔１４１ａおよび蓋側キー支持孔１４１ｂは、球受け回転体１２０の右斜め上方に位置してハートキー１４５を挿通可能に形成され、揺動体１３１との関係では、上記のように揺動体１３１を反時計廻りに揺動して球止め状態にしたときに、揺動体のキー係合片１３１ｋの右側に位置して同一軸上に並ぶように形成される。
【００９３】
そこで、球受け回転体の受圧爪１２０ｔと回転規制具の爪受容溝１３２ｔとを係合させた球止め状態Ｐｓで操作摘み１３１ｍを支え、ハートキー１４５を蓋側キー支持孔１４１ｂに挿入して先端部を枠側キー支持孔１４１ａに緩挿支持させると、ハートキー１４５がキー係合片１３１ｋの右側に位置して前後に延びて配設される。そこで操作摘み１３１ｍの支えを緩めると、戻しバネ１３４のバネ力で揺動体１３１がわずかに揺動し、キー係合片１３１の右側面がハートキー１４５と係合して、操作摘み１３１ｍを放しても球止め状態Ｐｓのまま保持される。
【００９４】
この球止め状態Ｐｓでは、戻しバネ１３４のバネ力により揺動体１３１が時計廻りに付勢され、また受圧爪１２０ｔと爪受容溝１３２ｔとの弾性係合によりその反力が揺動体１３１を時計廻りに揺動させる方向に作用している。このため、ハートキー１４５はキー係合片１３１ｋとの係合部が右方に押圧された状態で前後のキー支持溝１４１ａ，１４１ｂに支持されており、このため、例えば裏セット盤３０が揺らされたり、上流側に貯留された遊技球から作用する圧力が変動したりしても、ハートキー１４５が外れて揺動体１３１が解放状態Ｐｆに戻ってしまうようなことがない。
【００９５】
そこで、遊技施設の係員は、一般入賞具２３や始動入賞具２４に遊技球を落入させ、あるいはアタッカー装置２５の開閉扉を開かせて大入賞口に遊技球を投入し、またはＣＲ操作パネル９２の球貸要求ボタンを押圧操作するなどにより、球払出装置５３を作動させて遊技球を払い出させることで、受圧爪１２０ｔと球送り回転体５３ｒとの間に停留する遊技球を短時間で全量球抜きすることができ、球払出装置５３内の遊技球を完全に排出させた状態で、球払出装置５３の点検作業や交換作業などを容易に行うことができる。
【００９６】
球払出装置５３の点検作業等を終えた後、球止め状態Ｐｓを解除するには、操作摘み１３１ｍを軽く支えてハートキー１４５を後方に抜去し、支えていた操作摘み１３１ｍを緩やかに放せばよい。すると戻しバネ１３４のバネ力により揺動体１３１が時計廻りに揺動して受圧突起１２０ｔと爪受容溝１３２ｔの係合が解除され、球受け回転体１２０ａ，１２０ｂの回転規制が解除されて初期の解放状態Ｐｆに復帰する。
【００９７】
従って、以上説明したような球払出制御機構によれば、小型のモータを用いた球払出装置でも適正な払出作動を確保することができるため、装置の小型化および低廉化を実現でき、また負荷を軽減することで長期間安定して作動させ得る払出制御機構を提供することができる。また、揺動体を受圧状態の揺動角度位置に変位させて係止させる簡明な装置構成で、保守作業性の良好な払出制御機構を提供することができる。
【００９８】
図１４は、受圧制御ユニットにおける球受け回転体の他の構成例を示す平面図である。この球受け回転体２２０（２２０ａ，２２０ｂ）は、前述した球受け回転体１２０と同様に、回転盤の外周部に円弧状の球受け溝１２０ｕと山形の受圧爪１２０ｔとが交互に形成された爪車形態をなし、前後同一形状の球受け回転体２２０ａ，２２０ｂが前後の待機通路５２ａ，５２ｂに対応して用いられる。一方、球受け回転体２２０の中心部のボスは一面側にのみ形成され、その軸心に支軸ネジ２２８の外径よりもわずかに大きめの内径を有する軸孔が前後貫通して形成されている。また、Ｓ字レール５２には球受け回転体２２０のボスと略同一径で短めの支軸ボスが仕切壁５２ｗの前後に突出成型され、その軸心に支軸ネジ２２８の外径よりも幾分大きめの内径を有する支軸孔が前後に貫通して形成されている。
【００９９】
球受け回転体２２０ａ，２２０ｂは、Ｓ字レール５２の組み付けと一体的に行われ、蓋部材５８に支軸ネジ２２８を挿通して先端側を蓋部材５８の前面側に突出させ、まず後列側の球受け回転体２２０ｂ、次いでＳ字レール５２の支軸孔、最後に前列側の球受け回転体２２０ａを順次挿通させて支持させる。そして、このように前後の球受け回転体が一体的に支持されたＳ字レール５２を右枠杆３３の支持ボスに嵌挿支持させて位置合わせし、蓋部材５８の後方から各支持ボスにネジを螺合締結するとともに、支軸ネジ２２８を枠側ネジ受容部１１２ａに螺合締結することにより、Ｓ字レール５２および前後の球受け回転体２２０ａ，２２０ｂが右枠杆３３に取り付けられ、各球受け回転体２２０ａ，２２０ｂがそれぞれ独立して回転自在に配設される。このような構成によれば、上述した球払出制御機構と同様の効果が得られることに加えて、比較的小径の球受け回転体を形成することができ、またＳ字レールや球受け回転体等の部材構成を簡明化することができる。
【０１００】
なお、以上の実施形態では、回転規制具の駆動源としてプッシュ型の直動ソレノイド１３５を右枠杆３３の前面側に設け、プッシュロッド１３５ｅの先端に嵌着固定した駆動伝達具１３６を介して揺動体１３１を揺動させ、揺動体に組み付けた回転規制具１３２を球受け回転体１２０，２２０に係合させて球受け回転体の回動を規制する構成例を示したが、駆動源は吸引型の直動ソレノイドやロータリーソレノイドを用いてもよく、回転規制具を直接または間接的にスライドないし揺動させて球受け回転体の回動を規制するものであってもよい。また上記駆動源は右枠杆３３の前面側のみならず、右枠杆３３の後面側や蓋部材５８の背面に設ける構成であってもよい。
【図面の簡単な説明】
【０１０１】
【図１】本発明に係る球払出制御機構を備えた弾球遊技機の一例として示すパチンコ機の正面図である。
【図２】上記パチンコ機の背面図である。
【図３】本発明に係る球払出制御機構を含む裏セット盤の右枠杆部分の背面図である。
【図４】上記球払出制御機構における受圧制御ユニットを右斜め後方から見た分解斜視図である。
【図５】図３中のV〜矢視方向の側断面図である。
【図６】図３中のVI〜矢視方向の側断面図である。
【図７】図３中のVII−VII矢視方向の平断面図である。
【図８】右枠杆の前面側から見た上記受圧制御ユニットの正面図である。
【図９】球払出制御機構の制御形態を主として示すブロック図である。
【図１０】球払出制御機構におけるソレノイドと球払出モータの駆動タイミングを示すタイミングチャートである。
【図１１】受圧状態における遊技球の係止状況を示す背面図である。
【図１２】受圧状態における遊技球の他の係止状況を示す背面図である。
【図１３】球受け回転体を球止め状態にしたときの上記受圧制御ユニットの背面図である。
【図１４】受圧制御ユニットにおける球受け回転体の他の構成例を示す平面図である。
【図１５】従来の球払出制御機構における球払出装置の概要構成および払い出しの作用を示す背面図である。
【符号の説明】
【０１０２】
ＰＡ  遊技領域
ＰＭ  パチンコ機
Ｐｆ  解放状態
Ｐｒ  受圧状態
Ｐｓ  球止め状態
Ｃ１，Ｃ２  払出指令信号
Ｃ３  球貸要求信号
Ｍ１，Ｍ２，Ｍ３  モータ駆動信号
Ｓ１，Ｓ２，Ｓ３  ソレノイド駆動信号
１  外枠
２  前枠
３  ヒンジ機構
４  施錠装置
５  ガラス扉（５ｈ  球抜き操作孔）
６  上球皿
７  下球皿
８  発射ハンドル
９  遊技球発射装置
２０  遊技盤
２１  化粧板
２２  案内レール
２３  一般入賞具（２３ｓ  入賞検出センサ）
２４  始動入賞具（２４ｓ  入賞検出センサ）
２５  アタッカー装置（２５ｓ，２５ｔ  入賞検出センサ）
２７  図柄表示装置
２８  アウト口
２９  球寄せカバー
３０  裏セット盤
３１  基枠体
３２  窓口
３３  右枠杆
４１  球貯留タンク
４２  タンクレール
（４２ａ  前列側の整列通路、４２ｂ  後列側の整列通路）
４４  球均し具
４５  球止め部材
５１  球有検出センサ
５２  Ｓ字レール
（５２ａ  前列側の待機通路、５２ｂ  後列側の待機通路、５２ｗ  仕切壁、
５２Ｒ  右側の通路壁、  ５２Ｌ  左側の通路壁）
５３  球払出装置
（５３ａ  前列側の受容口、５３ｂ  後列側の受容口、５３ｃ  左側の払出口、
５３ｄ  右側の払出口、５３ｍ  球払出モータ、５３ｒ  球送り回転体、
５３ｒ１  前列側のインペラ、５３ｒ２  後列側のインペラ）
５４  球計数センサ
５５  流路切り替え部材（５５ａ  通路壁）
５６  操作部材
５７  球抜き通路
（５７ａ  予備通路、５７ｂ  連絡開口、５７ｃ  下降通路）
５８  蓋部材
６０  球払出通路
８１  主制御装置
８２  球払出制御装置
８３  ランプ・音声制御装置
８４  電源ユニット
８５  ターミナル基板
８７  図柄表示制御装置
９０  プリペイドカードユニット
９２  ＣＲ操作パネル
１００  受圧制御ユニット
１１２ａ  枠側ネジ受容部
１１２ｂ  蓋側ネジ受容部
１１３ａ  枠側支軸部
１１３ｂ  蓋側支軸部
１１４  枠壁
１１５  ソレノイド支持部（１１５ｓ  ネジ受容スリット）
１１６  ピン挿通孔
１１７  摘み挿通孔
１１８  前カバー
１２０  球受け回転体
（１２０ａ  前列側の球受け回転体、１２０ｂ  後列側の球受け回転体、
１２０ｔ  受圧爪、１２０ｕ  球受け溝）
１２５  枢支軸
（１２５ａ  前列側の枢支軸、１２５ｂ  後列側の枢支軸）
１２６  受圧爪挿通部
（１２６ａ  前列側の受圧爪挿通部、１２６ｂ  後列側の受圧爪挿通部）
１２８  枢支軸固定ネジ
１３０  回転制御機構
１３１  揺動体
（１３１ａ  本体プレート部、１３１ｂ  回転規制具装着部、１３１ｃ  カムプレート部、
１３１ｆ  バネ掛止フック、１３１ｊ  軸受部、１３１ｋ  キー係合片、
１３１ｍ  操作摘み）
１３２  回転規制具（１３２ｔ  爪受容溝）
１３３  揺動軸
１３４  戻しバネ
１３５  ソレノイド
（１３５ａ  ケース、１３５ｂ  駆動コイル、１３５ｃ  プランジャ、
１３５ｄ  リターンスプリング、１３５ｅ  プッシュロッド、１３５ｆ  軸端フランジ）
１３６  駆動伝達具
（１３６ａ  軸端ブロック、１３６ｂ  係合ピン、１３６ｆ  係止スリット）
１３７  発光素子
１３８  固定ネジ
１４０  球止め構造
１４１ａ  枠側キー支持孔
１４１ｂ  蓋側側キー支持孔
１４５  ハートキー
２２０  球受け回転体
（２２０ａ  前列側の球受け回転体、２２０ｂ  後列側の球受け回転体）
２２８  支軸ネジ
【図１】
2005160887.tif 000003
【図２】
2005160887.tif 000004
【図３】
2005160887.tif 000005
【図４】
2005160887.tif 000006
【図５】
2005160887.tif 000007
【図６】
2005160887.tif 000008
【図７】
2005160887.tif 000009
【図８】
2005160887.tif 000010
【図９】
2005160887.tif 000011
【図１０】
2005160887.tif 000012
【図１１】
2005160887.tif 000013
【図１２】
2005160887.tif 000014
【図１３】
2005160887.tif 000015
【図１４】
2005160887.tif 000016
【図１５】
2005160887.tif 000017